(57)【要約】【課題】  信号品質の劣化要因を検出可能とすること。【解決手段】  実施形態によれば、信号品質監視装置は、信号処理部、比較部、および判定部を具備する。信号処理部は、共通の原信号に基づくデジタル放送信号をそれぞれ再生する、互いに冗長化された第１送信機および第２送信機からの各々の出力信号を取り込み、第１送信機からの出力信号に基づく第１信号と、第２送信機からの出力信号に基づく第２信号とを生成する。比較部は、第１信号と第２信号とを比較する。判定部は、比較の結果に基づいて、デジタル放送信号の品質を判定する。【選択図】  図１
2020080494.tif 000002
【特許請求の範囲】
【請求項１】
共通の原信号に基づくデジタル放送信号をそれぞれ再生する、互いに冗長化された第１送信機および第２送信機からの各々の出力信号を取り込み、前記第１送信機からの出力信号に基づく第１信号と、前記第２送信機からの出力信号に基づく第２信号とを生成する信号処理部と、
前記第１信号と前記第２信号とを比較する比較部と、
前記比較の結果に基づいて、前記デジタル放送信号の品質を判定する判定部とを具備する、信号品質監視装置。
【請求項２】
前記信号処理部は、
前記第１送信機からの出力信号を復調して第１コンスタレーション信号を生成する第１復調部と、
前記第２送信機からの出力信号を復調して第２コンスタレーション信号を生成する第２復調部とを備え、
前記比較部は、前記第１コンスタレーション信号と、前記第２コンスタレーション信号とを比較する、請求項１に記載の信号品質監視装置。
【請求項３】
前記信号処理部は、前記第１送信機からの出力信号を復調して前記原信号に基づくトランスポートストリーム信号を再生する復調部を備え、
前記比較部は、再生された前記トランスポートストリーム信号と、放送トランスポートストリーム信号とを比較する、請求項１に記載の信号品質監視装置。
【請求項４】
前記信号処理部は、前記比較部で比較される前記トランスポートストリーム信号と前記放送トランスポートストリーム信号との遅延量を調整する遅延調整部をさらに備える、請求項３に記載の信号品質監視装置。
【請求項５】
前記信号処理部は、
前記第１送信機からの出力信号を復調して第１コンスタレーション信号を生成する復調部と、
放送トランスポートストリーム信号を変調して送信コンスタレーション信号を生成する変調部とを備え、
前記比較部は、前記第１コンスタレーション信号と、前記送信コンスタレーション信号とを比較する、請求項１に記載の信号品質監視装置。
【請求項６】
前記信号処理部は、前記比較部で比較される前記第１コンスタレーション信号と前記送信コンスタレーション信号との遅延量を調整する遅延調整部をさらに備える、請求項５に記載の信号品質監視装置。
【請求項７】
前記信号処理部は、
前記第１送信機からの出力信号を復調して第１コンスタレーション信号を生成する復調部を備え、
前記比較部は、前記第１コンスタレーション信号と、前記第２送信機の受信コンスタレーション信号とを比較する、請求項１に記載の信号品質監視装置。
【請求項８】
前記信号処理部は、前記比較部で比較される前記第１コンスタレーション信号と前記受信コンスタレーション信号との遅延量を調整する遅延調整部をさらに備える、請求項７に記載の信号品質監視装置。
【請求項９】
前記第１送信機および第２送信機からの各々の出力信号は、エアー領域に出力される前の送信前出力信号である、請求項１に記載の信号品質監視装置。
【請求項１０】
共通の原信号に基づくデジタル放送信号をそれぞれ再生する、互いに冗長化された第１送信機および第２送信機からの各々の出力信号を取り込む信号品質監視装置に適用される方法であって、
前記信号品質監視装置が、前記第１送信機からの出力信号に基づく第１信号を生成する過程と、
前記信号品質監視装置が、前記第２送信機からの出力信号に基づく第２信号を生成する過程と、
前記信号品質監視装置が、前記第１信号と前記第２信号とを比較する過程と、
前記信号品質監視装置が、前記比較の結果に基づいて、前記デジタル放送信号の品質を判定する過程とを具備する、信号品質監視方法。
【発明の詳細な説明】
【技術分野】
【０００１】
本発明の実施形態は、信号品質監視装置および方法に関する。
【背景技術】
【０００２】
デジタル放送システムにおいて、放送波の信号品質を監視することは重要である。例えば、放送波が維持されていても信号品質が低下している場合があり、この状態は受信難視と言われる。受信難視は、装置の誤設定や故障による信号品質の低下により引き起こされることがあり、信号品質を表す指標として、Ｃ／Ｎ（Carrier to Noise Radio）、ＭＥＲ（Modulation Error Rate）、あるいはＢＥＲ（Bit Error Rate）などが知られている。
【０００３】
地上デジタル放送では、ＤＱＰＳＫ、ＱＰＳＫ、１６ＱＡＭ、６４ＱＡＭ（Quadrature Amplitude Modulation）などの変調方式が用いられる。６４ＱＡＭ変調方式は、搬送波を振幅と位相が異なる６４種類の状態（シンボル）に変化させて信号を伝送する方式であり、１つのシンボルあたり６ビットの情報を伝送することができる。
【０００４】
各シンボルの位置を直交する軸上に表した図をコンスタレーション（信号点配置）と称する。ＣＮ比が劣化したり、雑音などの妨害波の影響を受けると、シンボルの位相や振幅が変化して、コンスタレーションの分散が大きくなる。コンスタレーションの分散の度合いを定量的に表現する指標が、ＭＥＲである。
【先行技術文献】
【特許文献】
【０００５】
【特許文献１】特開２００８−２１９１４５号公報
【発明の概要】
【発明が解決しようとする課題】
【０００６】
既存の装置では、例えば、アンテナ出力後のエアー領域での信号品質を検出していたので、送信所や中継装置の内部で生じた周波数偏移や遅延時間等といった項目とエアー領域で生じた項目とを区別して検知することが難しかった。また、例えばＢＥＲだけを検出できるにとどまり、多様な指標や項目を評価することは難しかった。デジタル放送信号の品質は多様な要因により低下するので、その発生箇所を切り分けることが難しく、対策が望まれる。
【０００７】
そこで、目的は、信号品質の劣化要因を検出することの可能な信号品質監視装置および方法を提供することにある。
【課題を解決するための手段】
【０００８】
実施形態によれば、信号品質監視装置は、信号処理部、比較部、および判定部を具備する。信号処理部は、共通の原信号に基づくデジタル放送信号をそれぞれ再生する、互いに冗長化された第１送信機および第２送信機からの各々の出力信号を取り込み、第１送信機からの出力信号に基づく第１信号と、第２送信機からの出力信号に基づく第２信号とを生成する。比較部は、第１信号と第２信号とを比較する。判定部は、比較の結果に基づいて、デジタル放送信号の品質を判定する。
【図面の簡単な説明】
【０００９】
【図１】図１は、実施形態に係る地上デジタル放送システムの一例を示す図である。
【図２】図２は、実施形態に係る信号品質監視装置１８の一例を示す機能ブロック図である。
【図３】図３は、信号品質監視装置１８の処理手順の一例を示すフローチャートである。
【図４】図４は、比較のため既存の信号品質監視装置の一例を示す図である。
【図５】図５は、実施形態に係る信号品質監視装置１８の他の例を示す機能ブロック図である。
【図６】図６は、実施形態に係る信号品質監視装置１８の他の例を示す機能ブロック図である。
【図７】図７は、実施形態に係る信号品質監視装置２６の他の例を示す機能ブロック図である。
【発明を実施するための形態】
【００１０】
図１は、実施形態に係る地上デジタル放送システムの一例を示す図である。このシステムは、送信所１００と、中継所２００とを具備する。送信所１００は、放送局から受信したデジタルマイクロ波（原信号の一例）を地上波デジタルテレビジョン放送帯域の放送波（放送信号）に変換し、割り当て地域に向けて送信する。中継所２００は、送信された放送波を中継送信する。
【００１１】
送信所１００において、アンテナ１０で受信したデジタルマイクロ波は、分配部１１を介して、運用系統（例えば、１系）、および、冗長系統（例えば、２系）に分配入力される。
【００１２】
１系において、デジタルマイクロ波はマイクロ波受信部１２で受信復調され、トランスポートストリーム（ＴＳ）信号が生成される。このＴＳ信号から、送信機１３により送信レベルの放送波（出力信号）が生成され、系統切替部１６に入力される。２系においても同様に、分配部１１からのデジタルマイクロ波はマイクロ波受信部１４で受信復調され、ＴＳ信号が生成される。このＴＳ信号から、送信機１５により、送信レベルの放送波（出力信号）が生成され、系統切替部１６に入力される。
【００１３】
送信機１３、送信機１５は互いに冗長化されていて、いずれも、共通のデジタルマイクロ波に基づく放送信号をそれぞれ再生する。系統切替部１６は、送信機１３または送信機１５のいずれか一方からの放送波を放送アンテナ１７に接続し、空間（エアー領域）に出力する。
【００１４】
放送アンテナ１７から出力された放送波は、中継所２００の受信アンテナ２０で受信され、分配部２１により中継装置２２、２３に分配入力される。ここでも、中継装置２２は１系として機能し、中継装置２３は２系として機能して、互いに冗長系として動作する。
【００１５】
中継装置２２，２３は、それぞれ放送波を再生し、中継装置の出力レベルにまで増幅して系統切替部２４に出力する。系統切替部２４は、中継装置２２または中継装置２３のいずれか一方からの放送波を中継装置用アンテナ２５に接続する。これにより放送波は中継される。
【００１６】
ところで、送信所１００は、送信される放送波の品質を監視するための信号品質監視装置１８を備える。信号品質監視装置１８は、送信機１３および送信機１５の各々から出力される放送波を取り込み、その品質を監視する。同様に、中継所２００は、中継送信される放送波の品質を監視するための信号品質監視装置２６を備える。信号品質監視装置２６は、中継装置２２および中継装置２３の各々から出力される放送波を取り込み、その品質を監視する。ここで、放送波は、エアー領域に放射される前に、信号品質監視装置１８または２６に取り込まれる。
【００１７】
信号品質監視装置１８、２６のいずれも、それぞれの装置出力の信号品質を監視する。すなわち１系の信号と２系の信号とを比較し、装置の異常を監視する。異常の内容によっては、系統切替部（１６，２４）に切り替え指示を与え、運用系統（例えば、１系）が冗長系統（例えば、２系）に切り替えることもできる。次に、上記構成を基礎として複数の実施形態について説明する。
【００１８】
［第１の実施形態］
図２は、実施形態に係る信号品質監視装置１８の一例を示す機能ブロック図である。図２において、１系の放送波は、周波数変換部３１により中間周波数（ＩＦ）帯域の信号にダウンコンバートされたのちＯＦＤＭ（Orthogonal Frequency Division Multiplex ）復調される。
【００１９】
すなわち、周波数変換部３１からのＩＦ信号は直交復調部３２で直交復調されたのち、ＦＦＴ部３３で高速フーリエ変換（ＦＦＴ）演算処理を施されて周波数軸信号に変換される。その後、等化処理部３４において例えばパイロット信号を利用した等化処理が施され、１系の受信コンスタレーション信号が生成される。周波数変換部３１、直交復調部３２、ＦＦＴ部３３、および等化処理部３４は、送信機１３からの出力信号を復調して受信コンスタレーション信号を生成する、第１復調部として機能する。
【００２０】
同様に２系の放送波は、周波数変換部４１によりＩＦ帯域にダウンコンバートされ、直交復調部４２で直交復調されたのち、ＦＦＴ部４３の高速フーリエ変換（ＦＦＴ）処理により周波数軸信号に変換される。さらに、等化処理部４４において等化処理が施されて２系の受信コンスタレーション信号が生成される。周波数変換部４１、直交復調部４２、ＦＦＴ部４３、および等化処理部４４は、送信機１５からの出力信号を復調して受信コンスタレーション信号を生成する、第２復調部として機能する。
【００２１】
１系および２系の受信コンスタレーション信号は、信号比較部５０に入力されて互いに比較され、キャリア単位で信号の差異が判定される。１系および２系の受信コンスタレーションは、正常の状態では同一の信号になるので、両者を比較した結果としての差異は、小さな値となる。一方、いずれかの系の送信機に異常が発生した場合には、コンスタレーション信号に生じる相違が大きくなり、比較結果は大きな値となる。品質判定部６０はこの比較結果を取得して、例えば既定のしきい値との大小関係に基づいて異常の有無を判定し、判定結果を出力する。
【００２２】
ここで、上記の第１復調部、第２復調部は、信号処理部としての機能を実現する。信号処理部は、送信機１３および送信機１５の各々からの放送波を取り込み、送信機１３の出力信号に基づく受信コンスタレーション信号と、送信機１５の出力信号に基づく受信コンスタレーション信号とを生成する。
【００２３】
図３は、信号品質監視装置１８の処理手順の一例を示すフローチャートである。信号品質監視装置１８は、１系のデジタル放送波と２系のデジタル放送波を取り込み（ステップＳ１）、ＩＦ信号に周波数変換する（ステップＳ２）。次に、信号品質監視装置１８はＩＦ信号を直交復調し（ステップＳ３）、その後、ＦＦＴ処理（ステップＳ４）および等化処理（ステップＳ５）を経てそれぞれの系の受信コンスタレーションが生成される。
【００２４】
その後、信号品質監視装置１８は、１系および２系の受信コンスタレーションを比較し（ステップＳ６）、その差異がしきい値以上であるか否かを判定する（ステップＳ７）。差異がしきい値未満であれば、処理手順は最初に戻る。
【００２５】
１系および２系の受信コンスタレーションの差異がしきい値以上であれば、信号品質監視装置１８はアラームを発報する（ステップＳ８）。
【００２６】
必要であれば（ステップＳ９でＹｅｓ）、信号品質監視装置１８は冗長切り替えを実行して（ステップＳ１０）、１系を２系に切り替える。ステップＳ９でＮｏであれば、処理手順は最初に戻る。
【００２７】
以上述べたように第１の実施形態では、１系送信機１３の出力信号をＯＦＤＭ復調して受信コンスタレーションを得て、同様に２系送信機１５の出力信号をＯＦＤＭ復調して受信コンスタレーションを得る。そして、１系、２系の受信コンスタレーションで同士を比較することにより、送信機の出力信号の品質を判定するようにした。つまりコンスタレーションを比較することで放送波（無線帯域）の同一性を監視し、信号の正当性を監視することができる。
【００２８】
特に送信機や中継器は、装置故障に備えて、同一の装置が複数系統用意され冗長構成がとられている。冗長化された系統では、どの系統であってもその出力信号は同じであり、装置が正常であれば系統間の信号を比較すると常に一致しているはずである。そこで実施形態では、系統間の信号の差異を常に監視をすることで、今までに検知できていなかった原因の異常を検知することができる。
【００２９】
図４は、比較のため既存の信号品質監視装置の一例を示す図である。既存の技術では、送信所１００のデジタルテレビ放送波を出力する系統にＯＦＤＭモニタ３００を取り付けるか、中継所２００のデジタルテレビ放送波を出力する系統にＯＦＤＭモニタ４００を取り付けるかして、ＢＥＲ、Ｃ／Ｎ、周波数精度などを監視するようにしていた。しかしながら、装置の故障や誤操作によりＩＳＤＢ−Ｔの変調パラメータが異なっていたり、装置遅延が異なっていたりする場合には、ＢＥＲ、Ｃ／Ｎ、周波数精度が劣化しない場合があり、そのようなケースでは異常状態を検知することができなかった。
【００３０】
また、２つの放送ＴＳ信号を比較する技術も知られているが、放送ＴＳ信号を復調して放送ＴＳに処理するには時間デインタリーブの処理が必要になる。例えばＲＥＭＵＸ装置からの放送ＴＳと受信機で受信した誤り訂正前の受信ＴＳとを比較する技術では、受信ＴＳを得るために遅延時間の大きな時間デインタリーブ処理が必要となる。このため、処理遅延がかかり、従って信号品質の判定にも時間がかかってしまう。
【００３１】
これに対し第１の実施形態では、時間デインタリーブ処理前のコンスタレーション信号同士で比較することにより、異常の発生を高速に検知することができる。受信した放送波を復調してＴＳ信号を再生するのに比べて、誤り訂正処理をせずに信号同士で比較することが出来る。従って、誤り訂正処理前のコンスタレーション信号で比較することにより、異常の検出精度を向上させることができる。
【００３２】
第１の実施形態では、送信機１３，１５から出力された放送波をそれぞれ受信し、その受信コンスタレーション同士を比較して、キャリア単位で信号の差異を判定する。受信コンスタレーションをキャリア単位で比較することにより、ＴＳとして時間、及びキャリア単位のいずれか、または両方で平均化された数値で異常の有無を判定していた既存の技術に比べて、瞬時的な異常が検出できるようになる。
【００３３】
すなわち、冗長化された送信機のそれぞれの放送波が同一であることを利用し、それぞれの装置出力を比較、監視することで、信号品質の指標だけに頼らず、瞬時的な信号品質の異常を発見することが可能になる。また、復調処理が全て行われたＴＳ信号同士で比較することによりＴＳ信号を１ビットレベルで同一性を監視することもできる。
【００３４】
さらに、異常の内容によっては、どの様な影響を受けて発生した異常であるかも解析可能である。これにより、信号品質が劣化する要因の特定と、その異常が発生した箇所（送信及び中継の何処で発生したか）とを詳細に特定することが可能となる。
【００３５】
これらのことから、第１の実施形態によれば、信号品質の劣化要因を検出することの可能な信号品質監視装置および方法を提供することが可能となる。
【００３６】
［第２の実施形態］
図５は、実施形態に係る信号品質監視装置１８の他の例を示す機能ブロック図である。図５において図２と共通する部分には同じ符号を付して示し、ここでは異なる部分についてのみ説明する。
【００３７】
図５において、周波数変換部３１、直交復調部３２、ＦＦＴ部３３、および等化処理部３４は、送信機１３からの出力信号を復調して放送波に基づくトランスポートストリーム信号を再生する、復調部として機能する。すなわち、等化処理部３４は、ＦＦＴ部３３の出力に対して等化処理を施し、１系の受信コンスタレーション信号を生成する。さらに等化処理部３４は、受信コンスタレーション信号に前方誤り訂正（Forward Error Correction：ＦＥＣ）処理を施し、トランスポートストリーム信号を再生する。
【００３８】
他方で、信号品質監視装置１８は、ＴＴＬ回線などを経由して供給される放送トランスポートストリーム（ＴＳ）を、例えば１系のマイクロ波受信装置から取り込む。この放送ＴＳは、遅延調整部７１により遅延量を調整され、上記再生されたトランスポートストリーム信号と位相を合わせて信号比較部５１に入力される。信号比較部５１は、再生されたトランスポートストリーム信号と、放送ＴＳとを比較する。
【００３９】
正常の状態では、信号比較部５１に入力される信号は互いに同じになるはずである。よって、両者を比較した結果は同じになる。一方、いずれかの系の送信機に異常が発生した場合には、トランスポートストリーム信号を比較した相違が大きくなり、比較して相違した数が大きくなる。品質判定部６０はこの比較結果を取得して、例えば既定のしきい値との大小関係に基づいて異常の有無を判定し、判定結果を出力する。
【００４０】
このように第２の実施形態では、放送ＴＳ信号と、１系の送信機１３から出力されたデジタル放送信号を復調して再生された放送ＴＳ信号とを比較し、信号の同一性を監視するようにしている。この実施形態においても、アンテナ出力前の送信機出力信号を復調した放送ＴＳ信号を比較対象としているので、信号品質監視の精度が損なわれることがない。従って第２の実施形態によっても、信号品質の劣化要因を検出することの可能な信号品質監視装置および方法を提供することが可能となる。
【００４１】
［第３の実施形態］
図６は、実施形態に係る信号品質監視装置１８の他の例を示す機能ブロック図である。図６において図２と共通する部分には同じ符号を付して示し、ここでは異なる部分についてのみ説明する。
【００４２】
図５において、周波数変換部３１、直交復調部３２、ＦＦＴ部３３、および等化処理部３４は、送信機１３からの出力信号を復調して放送波に基づく受信コンスタレーション信号を生成する、復調部として機能する。すなわち、等化処理部３４は、ＦＦＴ部３３の出力に対して等化処理を施し、１系の受信コンスタレーション信号を生成する。
【００４３】
他方で、信号品質監視装置１８は、ＴＴＬ回線などを経由して供給される放送トランスポートストリーム（ＴＳ）を、例えば１系のマイクロ波受信装置から取り込む。この放送ＴＳは、送信コンスタレーション生成部８１に入力される。送信コンスタレーション生成部８１は、放送ＴＳを変調して送信コンスタレーション信号を生成する。この送信コンスタレーションは遅延調整部７１により遅延量を調整され、上記生成された受信コンスタレーションと位相を合わせて信号比較部５１に入力される。信号比較部５１は、送信コンスタレーションと、受信コンスタレーションとを比較する。
【００４４】
正常の状態では、信号比較部５１に入力される２つのコンスタレーションは、互いに同じになるはずである。よって、両者を比較した結果としての差異は、小さな値となる。一方、いずれかの系の送信機に異常が発生した場合には、コンスタレーション信号に生じる相違が大きくなり、比較結果は大きな値となる。品質判定部６０はこの比較結果を取得して、例えば既定のしきい値との大小関係に基づいて異常の有無を判定し、判定結果を出力する。
【００４５】
このように第３の実施形態では、放送ＴＳ信号を変調して生成した送信コンスタレーションと、デジタル放送信号を復調して生成した受信コンスタレーションとを比較し、信号の同一性を監視するようにしている。この実施形態においても、コンスタレーション同士をサブキャリア単位で比較できるため、瞬時的な不具合の発生でも検知可能である。また、受信コンスタレーションは時間デインタリーブ処理が不要なので、高速な検知が可能となる。従って第３の実施形態によっても、信号品質の劣化要因を検出することの可能な信号品質監視装置および方法を提供することが可能となる。
【００４６】
［第４の実施形態］
図７は、実施形態に係る信号品質監視装置２６の一例を示す機能ブロック図である。この実施形態では、中継所２００における利用を想定し、放送ＴＳを取得することを望めない環境下での信号監視について説明する。
【００４７】
図７において、周波数変換部３１、直交復調部３２、ＦＦＴ部３３、および等化処理部３４は、中継装置２２からの出力信号を復調して放送波に基づく受信コンスタレーション信号を生成する、復調部として機能する。すなわち、等化処理部３４は、ＦＦＴ部３３の出力に対して等化処理を施し、１系の受信コンスタレーション信号を生成する。この受信コンスタレーションは、外部端子などから取り出されてもよい（受信コンスタレーション出力）。
【００４８】
他方で、信号品質監視装置１８は、冗長系統の受信コンスタレーションを取り込む。この受信コンスタレーションは遅延調整部９１により遅延量を調整され、上記生成された受信コンスタレーションと位相を合わせて信号比較部５２に入力される。信号比較部５２は、２つの受信コンスタレーション同士を比較する。
【００４９】
正常の状態では、信号比較部５２に入力される２つのコンスタレーションは、互いに同じになるはずである。よって、両者を比較した結果としての差異は、小さな値となる。一方、いずれかの系の中継装置に異常が発生した場合には、コンスタレーション信号に生じる相違が大きくなり、比較結果は大きな値となる。品質判定部６０はこの比較結果を取得して、例えば既定のしきい値との大小関係に基づいて異常の有無判定し、判定結果を出力する。
【００５０】
このように第４の実施形態では、冗長系統の受信コンスタレーションと、デジタル放送信号を復調して生成した受信コンスタレーションとを比較し、信号の同一性を監視するようにしている。この実施形態においても、コンスタレーション同士をサブキャリア単位で比較できるため、瞬時的な不具合の発生でも検知可能である。また、受信コンスタレーションは時間デインタリーブ処理が不要なので、高速な検知が可能となる。従って第４の実施形態によっても、信号品質の劣化要因を検出することの可能な信号品質監視装置および方法を提供することが可能となる。
【００５１】
本発明のいくつかの実施形態を説明したが、これらの実施形態は例として提示するものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１０…アンテナ、１１…分配部、１２…マイクロ波受信部、１３…１系送信機、１４…マイクロ波受信部、１５…２系送信機、１６…系統切替部、１７…放送アンテナ、１８…信号品質監視装置、２０…受信アンテナ、２１…分配部、２２…中継装置、２３…中継装置、２４…系統切替部、２５…中継装置用アンテナ、２６…信号品質監視装置、３１…周波数変換部、３２…直交復調部、３３…ＦＦＴ部、３４…等化処理部、４１…周波数変換部、４２…直交復調部、４３…ＦＦＴ部、４４…等化処理部、５０…信号比較部、５１…信号比較部、５２…信号比較部、６０…品質判定部、７１…遅延調整部、８１…送信コンスタレーション生成部、９１…遅延調整部、１００…送信所、２００…中継所、３００…ＯＦＤＭモニタ、４００…ＯＦＤＭモニタ。
【図１】
2020080494.tif 000003
【図２】
2020080494.tif 000004
【図３】
2020080494.tif 000005
【図４】
2020080494.tif 000006
【図５】
2020080494.tif 000007
【図６】
2020080494.tif 000008
【図７】
2020080494.tif 000009